(57)【要約】【課題】    既設杭の引抜き作業は、掘削穴と軟弱な地盤のため重機の転倒が起き易くきわめて危険が伴う作業である。【解決手段】  掘削穴に補強用の立方形のボックスＡと楔状のボックスＢを配置することによって、掘削穴の崩れを防ぎ、重機の重力による圧力を分散させるため安全で迅速な作業が可能となった。【選択図】  図２
2009108482.tif 000002
【特許請求の範囲】
【請求項１】
既設杭の杭頭を露現させるために掘削した堀削穴の中央部に四角形の補強用箱体Ａを配置し、該箱体Ａの両側に楔状のボックスＢを挿入列置して一体とし、該両箱体Ａ・Ｂ上に前記掘削穴を跨いで鉄板を敷設して杭引抜機Ｄの進入足場としたことを特徴とした既設杭引抜きの際の地盤安定化工法。
【請求項２】
四角形の補強用箱体Ａは最前部に長方形の箱体Ａ１を使用し、その後方に正方形の箱体Ａ２を配置することを特徴とした請求項１に記載の既設杭引抜きの際の地盤安定化工法。
【請求項３】
補強用箱体Ａ・Ｂは構成する内部に筋かい等を設けて補強することを特徴とした請求項１に記載の既設杭引抜きの際の地盤安定化工法。
【発明の詳細な説明】
【技術分野】
【０００１】
本発明は、既設杭引抜きの際に引抜き機等の重機の安定化を図るための地盤の安定化工法に関する。    
【背景技術】
【０００２】
構築物を撤去した際に残る基礎杭は、通常１〜１．５ｍ位地中に杭頭があり、これを掘り当てて杭頭を露現させ、ここに杭引抜き機を進入させて引抜き作業を開始する。しかし、このような作業現場は、杭引抜きのための注水や建物撤去後の瓦礫等できわめて荒れている。そして前記したように杭頭が地中に埋入されているため、引抜き作業に当っては、地面を逆台形状に掘り下げるため、作業中に斜面が崩れ引抜きのために進入する重機は極めて不安定で、転倒等の事故があり常に危険が伴っている。
【特許文献１】特開２００７−１３８５４４号公報
【発明の開示】
【発明が解決しようとする課題】
【０００３】
埋設されている既設杭はその現場にもよるが、大体８ｍ程度の長さと、３０〜４５ｃｍ位の直径のあるコンクリート杭が４〜５本一ヶ所に打設されている。このため作業に当っては、この長さに相当する引抜き用のケーシングと、これを垂直に支えるためのリーダーと、作業をするためのキャタピラ付きの引抜き機（以下重機と称する）が必要であり、一般には既設杭の杭頭の周囲に、杭を掘り出した際の土を埋め戻しながらさらに鉄板を敷いて地盤の安定を図っているが、作業機の重量があるため、掘削穴が崩れ鉄板が傾き、ケーシングによる掘り出し穴が傾き、これを修正するためしばしば作業を中断することとなり、工事の遅延があるばかりか、重機の転倒等の危険が伴う。
【課題を解決するための手段】
【０００４】
発明者はこのような危険が伴う原因となっている地盤の安定化について鋭意研究を重ねた結果本発明の工法に到達したものであって、本発明は、掘削穴の中央に補強のための四角形の箱体Ａを配設し、この両側辺に楔形状のボックスＢを配置して一体とすることによって掘削穴を埋め、この箱体Ａ・Ｂ上に掘削した穴を跨いで鉄板Ｆを敷設することによって杭抜き機の進入地盤を形成した。
【０００５】
この形成された進入地盤は図示するように掘削穴（２）の中央に四角形の箱体Ａを配置し、この箱体Ａの側辺に楔状のボックスＢを挿入してＢ・Ａ・Ｂと列置することで、掘削穴（２）の斜面は楔状ボックスＢの斜面に当接される。図２中の矢印は掘削穴（２）と四角形の箱体Ａ、楔状ブロックＢにかかる重力の分布に示すもので、四角形の箱体にかかる
力をＳ、楔状ブロックＢにかかる力Ｒのように分散されて軽減される。
【０００６】
従って鉄板Ｆ上で引抜機Ｄ（図示では作図上キャタピラのみを示している）が進入して杭引抜作業をしていても堀削穴（２）の傾斜面は楔状ブロックＢの斜面に圧えられているため崩れることなく、鉄板Ｆも安定して杭抜き機Ｄの安全が保たれる。
【発明の効果】
【０００７】
本発明は地味で目立たない作業で、しかも常に危険が伴う既設杭の引抜き作業を安全で確実に行うことを目的とするもので、構造的にも四角形の箱体Ａと楔状ブロックＢを組合せるのみで重機Ｄからかかる力を分散させて地盤の安定化が図れるもので安全作業の迅速に貢献し、その効果は極めて顕著である。
【発明を実施するための最良の形態】
【０００８】
添付図面により、本考案を実施するための最良の形態を説明すると、図１は、本発明の杭引抜きの際の実施例図であって、Ａは杭引抜機（以下重機と称す）であり、キャタピラーにより移動する。この重機Ｄは既設杭引抜きのためのケーシング及びリーダーを垂直に保つためのリーダーを立設して構成されている。この引抜き工法は、前記特許文献１に示される工法であって、既設杭に対してケーシングを挿入しながらオーガーの回転により作動する排土作用をする回転羽根の回動によって埋設されている杭の周囲を掘りながら羽根を進入させる。この際直立しているリーダーによってケーシングの垂直の進入を保つこととする。したがって、この際重機が傾いた場合には、直立しているケーシングが傾き、これによって杭に沿って進入している掘り出しの羽根が杭に接触して杭の掘出しが不能となる。このため杭引抜き作業を中断するばかりか、重機の転倒による事故も多発している。
【０００９】
既設杭の杭頭を露現させるため掘削穴（２）は、図示するように逆台形に形成されているため傾斜面は崩れ易く、したがって穴（２）の上面に鉄板Ｆを渡しても重量のある重機Ｄが載った場合にその重量によって斜面が崩れる。このため本発明にあっては掘削穴（２）に四角形の補強箱Ａとこれを支える楔形のボックスＢを配置し、この上に鉄板Ｆを掘削穴（２）を跨いで敷設することによって重機にかかる重力は掘削穴（２）の真下方向と傾斜面方向とに分散されて鉄板Ｆは水平を保つことができる。このため重機の傾きを防ぎ、リーダーやケーシングの傾きをなくして安全で作業の進行を早めることが可能となった。
【００１０】
図２は既設杭と掘削穴（２）に配置される四角形の補強箱体Ａ及び楔形ボックスＢさらにこの上面に渡す鉄板Ｆ、さらにこの上に載る重機（キャタピラのみを示す）の関係図を示す。なお、図中の（３）は補強筋を示している。
【００１１】
図３は作業現場に敷設する鉄板Ｆと露現している既設杭の杭頭を表わす平面図であって、四角形の補強箱Ａの先端には半裁の四角形の補強箱Ａ１が配置されていて、引抜作業を容易とし、これと接続をして方形の補強箱Ａ２を配置する。
【００１２】
図４は補強箱体Ａ・Ｂと既設杭との関係を表わす平面図であって、図４の鉄板Ｆを除いた部分詳細図であって、図にあっては各箱体にフック掛け用の金具を設けてある。図５は補強箱体Ａ・Ｂの全体を示す斜視図であって、Ｘは四角形の補強箱Ａ、Ｙは楔形ボックスＢの斜視図であり、ＺはＢ・Ａ・Ｂの組合せた掘削穴（２）内の配置図を示している。
【実施例】
【００１３】
添付図面により本発明工法の実施例を説明すると、図３、図４を参照して、埋設されている既設杭は５本のコンクリート杭で、径は３０ｃｍ、長さは８ｍであり、杭間はそれぞれ１．５ｍである。杭頭は地中１．５ｍ位置に露現している。したがって、この杭頭が露現するように溝穴（２）を掘削する。本発明に用いる杭の引抜き工法は前記特許文献１に示す工法を用いる。即ち螺旋羽根によって杭周囲にケーシングを進入させて掘り、杭を露出させて引抜く工法を用いるもので、ケーシングが杭に沿って垂直に進入することが作業効率を上げる条件である。
【００１４】
本発明の地盤安定化工法は、既設杭の杭頭を露現させた掘削穴（２）に四角形の補強箱Ａと、この両側に楔形の補強ボックスＢを一体として埋設配置してこの上から鉄板Ｆを掘削穴（２）を跨いで敷設することによって、重機の進入足場とするもので、重機の重量は鉄板Ｆを介して補強箱Ａにより直下方向の力Ｓと、楔形ボックスＢによる傾斜方向の力Ｒに分散される。特に楔形ボックスＢを挿入することにより掘削穴（２）の斜面を圧えるため穴の崩壊を防止する効果があり、鉄板Ｆの傾きを防いでいる。
【００１５】
実施例において使用した補強箱Ａ２の大きさは１２５０ｍ／ｍ×２３００ｍ／ｍ×１２５０ｍ／ｍ、長方形の補強箱Ａ１は１２５０ｍ／ｍ×２３００ｍ／ｍ×１２５０ｍ／ｍとし、楔形ボックスＢは方形の補強箱Ａに見合う高さ及び幅として一体に結合する。図示していないが、この補強箱の内部には補強のための梁や筋かい（３）を設ける。また掘削穴（２）に渡す鉄板Ｆは、２２ｍ／ｍ×１５００ｍ／ｍ×６０００ｍ／ｍであり、重機のキャタピラーの幅４ｍに十分間に合う大きさとする。
【産業上の利用可能性】
【００１６】
上述のように本発明工法は、既設杭の引抜きという地味な作業であるが、常に危険が伴う作業を安全に迅速に遂行できるため、地域の開発等に大いに期待貢献できる点で、この利用可能性は大きい。
【図面の簡単な説明】
【００１７】
【図１】本発明工法の概略図
【図２】本発明の要部である掘削穴の断面図
【図３】掘削穴の鉄板を含む平面図
【図４】掘削穴上部の平面図
【図５】補強箱の斜視図及び組合せ側面図
【符号の説明】
【００１８】
２…掘削穴
Ａ…四角形の補強箱
Ｂ…楔形の補強箱
Ｆ…鉄板
Ｄ…杭抜き機
【図１】
2009108482.tif 000003
【図２】
2009108482.tif 000004
【図３】
2009108482.tif 000005
【図４】
2009108482.tif 000006
【図５】
2009108482.tif 000007